(57)【要約】      （修正有）【課題】基材に形成された画像をパターンを通して観察すると、立体視効果、モアレ効果等の特殊視覚効果を得ることのできるパターン形成方法、さらにはＣＣＤ撮像素子、液晶ディスプレイ、プラズマディスプレイ、有機ＥＬ表示装置等にも応用可能なパターン形成方法、及びパターン形成装置を提供する。【解決手段】基材１の表面に形成されたパターン形成用区画線間５に、このパターン形成用区画線を形成する樹脂に対して相溶性のないパターン形成用樹脂組成物６を、前記パターン形成用区画線が形成された基材の表面を下に向けた状態で塗工し、基材の下に向けられた表面にパターン形成用樹脂組成物が保持された状態に維持することによりパターン形成用区画線間にあるパターン形成用樹脂組成物を下に凸状の形状にし、硬化させることによりパターン３を形成するパターン形成方法、パターン形成装置である。【選択図】図１
2006181554.tif 000002
【特許請求の範囲】
【請求項１】
基材の表面に形成されたパターン形成用区画線間に、このパターン形成用区画線を形成する樹脂に対して相溶性の小さな、または実質的に相溶性のないパターン形成用樹脂組成物を、前記パターン形成用区画線が形成された基材の表面を下に向けた状態で塗工し、基材の下に向けられた表面にパターン形成用樹脂組成物が保持された状態に維持することによりパターン形成用区画線間にあるパターン形成用樹脂組成物を下に凸状の形状にし、下に凸状の形状になっているその前記パターン形成用樹脂組成物を硬化させることによりパターンを形成することを特徴とするパターン形成方法。
【請求項２】
基材の表面に第１下塗り層を形成し、次いで、前記第１下塗り層の表面に所定間隔を設けて第２下塗り層を形成し、前記第１下塗り層および第２下塗り層を有する基材の表面を下に向けた状態で、前記第１下塗り層に対して相溶性が小さな、または実質的に相溶性がなく、第２下塗り層には相溶性のあるパターン形成用樹脂組成物を塗工し、下に向けられた第２下塗り層にパターン形成用樹脂組成物が保持された状態に維持することにより第２下塗り層に保持されたパターン形成用樹脂組成物を下に凸状の形状にし、下に凸状の形状になっているその前記パターン形成用樹脂組成物を硬化させることによりパターンを形成することを特徴とするパターン形成方法。
【請求項３】
パターンが凸レンズである前記請求項１又は２に記載のパターン形成方法。
【請求項４】
基材の表面を下に向けた状態で、前記基材の下向きの表面にパターン形成用樹脂組成物を塗工するパターン形成用樹脂組成物塗工部と、下方に向けられた基材の表面に塗工されたパターン形成用樹脂組成物を基材の下側の面に保持された状態で移送されてきたその基材におけるパターン形成用樹脂組成物を硬化させることによりパターンを形成する硬化部とを備え、基材の上側の面に印刷をする上面印刷部を備えていないことを特徴とするパターン形成装置。
【請求項５】
前記パターンが凸レンズである前記請求項４に記載のパターン形成装置。
【発明の詳細な説明】
【技術分野】
【０００１】
この発明はパターン形成方法及びパターン形成装置に関し、更に詳しくは、例えば基材に形成された画像を鮮明に視認可能にするパターンを形成するパターン形成方法及びそのパターン形成方法を実施することのできるパターン形成装置に関する。
【背景技術】
【０００２】
従来において、レンズ付き印刷物の製造方法につき、特許文献１及び特許文献２に記載の発明がある。この特許文献１に記載された発明は、「一対の右眼用画像と左眼用画像が複数並設されることで構成されている所望の画像をベースシート表面に印刷し、下層用樹脂を画像表面に印刷して透明な下層樹脂部を形成し、パターン形成区画線を下層樹脂部表面の所定位置に所定間隔で印刷し、パターン形成区画線に対して相容性のない透明なレンズ形成用樹脂を下層樹脂部表面に塗工し、パターン形成区画線とレンズ形成用樹脂との不相容性によるハジキ及びレンズ形成用樹脂の表面張力を利用して、レンズ形成用樹脂を、隣設するパターン形成区画線相互間に夫々凸レンズ状にして配列せしめ、これを硬化させて複数のレンズ部を形成することを特徴とした立体画像印刷物の製造方法」（特許文献１の請求項１参照）であり、「ベースシートと、ベースシート表面に設けられると共に、一対の右眼用画像と左眼用画像を複数並設して形成される画像と、画像表面に形成される透明な下層樹脂部と、下層樹脂部表面の所定位置に、所定間隔で印刷されるパターン形成区画線と、隣設するパターン形成区画線相互間に夫々配置される凸レンズ状の透明なレンズ部とからなり、レンズ部を一対の右眼用画像と左眼用画像に跨がるように配置したことを特徴とする立体画像印刷物」（特許文献１の請求項２参照）であり、「透明ベースシートと、透明ベースシート裏面に設けられると共に、一対の右眼用画像と左眼用画像を複数並設して形成される画像と、透明ベースシート表面の所定位置に、所定間隔で印刷されるパターン形成区画線と、隣設するパターン形成区画線相互間に夫々配置される凸レンズ状の透明なレンズ部とからなり、レンズ部を一対の右眼用画像と左眼用画像に跨がるように配置したことを特徴とする立体画像印刷物」（特許文献１の請求項３参照）である。
【０００３】
特許文献２に記載された発明は、「基材上に形成したパターン上に透明な液体樹脂を塗工することにより製造されたマイクロレンズにおいて、基材上に形成したパターン面とパターンを形成していない部分が液体樹脂に対して異なる濡れ特性を有する材料で形成されたことを特徴とするマイクロレンズ」（特許文献２の特許請求の範囲第１項参照）であり、「基材上に形成したパターン上に透明な液体樹脂を塗工してマイクロレンズを製造する方法において、パターン表面とパターンを形成していない面に対する濡れ特性が異なる透明樹脂を塗工し、過剰の樹脂を除去した後に、透明樹脂を硬化することを特徴とするマイクロレンズの製造方法」（特許文献２の特許請求の範囲第３項参照）である。
【０００４】
前記特許文献１及び２に記載された立体画像印刷物の製造方法、及びマイクロレンズの製造方法では、一方の表面が上側の面になるように配置された基材のその上表面にパターン形成区画線を形成するなどしてレンズ部を形成していると、その明細書の全記載及び添付された図面の記載から理解される。
【０００５】
上記発明について本願発明者が更に検討したところ、前記特許文献に記載された方法によると、たとえば０．８ｍｍ又は０．８ｍｍ程度の焦点距離で結像するレンズの得られることが判明した。この場合の焦点距離は、ベースシート又は基材の厚み及びレンズの厚みの合計と同じである。ところが、用途によっては、よりいっそう薄い厚み、例えば０．１ｍｍ、０．２ｍｍ又は０．３ｍｍといった薄い基材に、その基材の厚みを焦点距離とするレンズを形成する必要があることも判明した。
【０００６】
一方、特許文献３には両面多色刷枚葉オフセット印刷機が開示される。この特許文献３に係る両面多色刷枚葉オフセット印刷機は、水平方向に搬送される枚用紙の裏面を印刷するための「裏面印刷ユニットを複数個並設した裏面印刷部」（特許文献３の請求項１参照）を備える。この裏面印刷部の具体的構造は、「第１色目・第２色目の裏面印刷ユニット１Ａ・１Ｂ」を備え（特許文献３の００１５欄参照）、「上記第１色目と第２色目の裏面印刷ユニット１Ａ・１Ｂの圧胴11ａ・11ｂを、不図示の紙くわえ爪を設けた中間胴17ａを介して水平方向略直線状に接続することにより裏面印刷部１が形成される」（特許文献３の００１７欄参照）。これらの記載からすると、裏面に第１色目が印刷された枚用紙のその裏面が前記中間胴１７ａの周表面に接しつつ圧胴１１ｂに搬送されるものと、理解される。少なくとも前記特許文献３には、中間胴１７ａと送られる枚用紙との関係についての記載がない。
【０００７】
特許文献４にも両面印刷用の「枚葉印刷機」が開示される。この特許文献４に記載されている枚葉印刷機は、「裏面印刷装置（裏面印刷部）１と表面印刷装置（表面印刷部）２との中間に４つの中間胴３ａ〜３ｄ」（特許文献４の００１９欄参照）を備え、「裏面印刷装置１と表面印刷装置２との中間に設備した中間胴３ｂ，３ｄを外周面に吸引機能を持たせたサクションドラムとして形成し、走行するシート４を該中間胴３ｂ，３ｄの外周面に吸着保持させる」（特許文献４の００２３欄参照）構成を採用している。このことから、中間胴３ａの周表面に、裏面印刷された枚葉紙の印刷面つまり裏面が接した状態で、裏面印刷された枚葉紙が次の中間胴３ｂに移送されていくものと、理解される。
【０００８】
【特許文献１】特開平５−３０３１５３号公報
【特許文献２】特開平４−１６５３０１号公報
【特許文献３】特開平７−９６５４号公報
【特許文献４】特開２００３−２６６６２７号公報
【発明の開示】
【発明が解決しようとする課題】
【０００９】
この発明は、基材に形成された画像をパターンを通して観察すると、立体視効果、モアレ効果等の特殊視覚効果を得ることのできるパターン形成方法、さらにはＣＣＤ撮像素子、液晶ディスプレイ、プラズマディスプレイ、有機ＥＬ表示装置等にも応用可能なパターン形成方法、及びパターン形成装置を提供することを、課題とする。
【課題を解決するための手段】
【００１０】
たとえば前記特許文献１に記載の方法に即して言うと、前記課題を解決するためにこの発明者が種々の検討を重ねたところ、基材の表面に形成されるレンズの焦点距離Ａの長さよりも基材の厚みＢが短くなると、そのように厚みの薄い基材表面にレンズを形成しても、鮮明な画像を視認することができないのは、水平に配置した基材の上側の面に上に向かって凸状に形成されたレンズ部の形状が、期待通りになっていないからであると、推測された。液状であるレンズ形成用樹脂を水平方向に延在する基材の上表面に塗工すると、形成されるレンズ部の形状は、重力により僅かに扁平になってしまうと、推測された。
【００１１】
この発明は、前記知見に基づいて完成された。すなわち、前記課題を解決するための手段として、
請求項１は、基材の表面に形成されたパターン形成用区画線間に、このパターン形成用区画線を形成する樹脂に対して相溶性の小さな、又は実質的に相溶性のないパターン形成用樹脂組成物を、前記パターン形成用区画線が形成された基材の表面を下に向けた状態で塗工し、基材の下に向けられた表面にパターン形成用樹脂組成物が保持された状態に維持することによりパターン形成用区画線間にあるパターン形成用樹脂組成物を下に凸状の形状にし、下に凸状の形状になっているその前記パターン形成用樹脂組成物を硬化させることによりパターンを形成することを特徴とするパターン形成方法であり、
請求項２は、基材の表面に第１下塗り層を形成し、次いで、前記第１下塗り層の表面に所定間隔を設けて第２下塗り層を形成し、前記第１下塗り層及び第２下塗り層を有する基材の表面を下に向けた状態で、前記第１下塗り層に対して相溶性が小さな、または実質的に相溶性がなく、第２下塗り層には相溶性のあるパターン形成用樹脂組成物を塗工し、下に向けられた第２下塗り層にパターン形成用樹脂組成物が保持された状態に維持することにより第２下塗り層に保持されたパターン形成用樹脂組成物を下に凸状の形状にし、下に凸状の形状になっているその前記パターン形成用樹脂組成物を硬化させることによりパターンを形成することを特徴とするパターン形成方法であり、
請求項３は、パターンが凸レンズである前記請求項１又は２に記載のパターン形成方法であり、
請求項４は、基材の表面を下に向けた状態で、前記基材の下向きの表面にパターン形成用樹脂組成物を塗工するパターン形成用樹脂組成物塗工部と、パターン形成用樹脂組成物が塗工された基材を、塗工面を下側に向けた状態に維持しつつ基材を搬送する基材移送部と、基材の下側の面に塗工されたパターン形成用樹脂組成物を硬化させることによりパターンを形成する硬化部とを備え、基材の上側の面に印刷をする上面印刷部を備えていないことを特徴とするパターン形成装置であり、
請求項５は、前記パターンが凸レンズである前記請求項４に記載のパターン形成装置である。
【発明の効果】
【００１２】
この発明によると、基材の表面を下に向けた状態のままで、基材の下側表面にパターン形成用樹脂組成物を塗工し、パターン形成用樹脂組成物を塗工した面を下に向けた状態のままに維持すると、重力とパターン形成用樹脂組成物の表面張力との作用により、塗工されたパターン形成用樹脂組成物は下に向かって凸状に形成され、下に向かって凸状に形成されたパターン形成用樹脂組成物がその状態で硬化されるので、パターン形成用樹脂組成物の表面張力による球形化現象と重力によるカテナリー曲面形状の合成形状を有する、下に凸状態となったパターンが形成される。この形状は、凸レンズの作用を有する。
【００１３】
従来の発明におけるように、基材の上側の面を上側に向けた状態のままで、基材の上側の面にパターン形成用樹脂組成物を塗工したときには、そのパターン形成用樹脂組成物は重力の作用により、やや扁平な、上に凸のパターンが形成されることにより焦点距離が長いか、又は所望位置に焦点を結ばないレンズ状パターンが形成されることに基づく不利な現象、たとえば基材に設けられた、たとえば立体視画像及びモアレ効果による画像等を鮮明に視認することができないといった不利を、この発明は解消することができる。換言すると、この発明のパターン形成方法及びパターン形成装置によると、基材の下側の面に塗工されたパターン形成用樹脂組成物は表面張力と重力との作用による下に凸の合成曲面形状をしたレンズが形成されるので、そのレンズの焦点距離に応じた薄い厚みの基材に形成された図形を明確に視認することができるパターン印刷物を製造することができる。
【発明を実施するための最良の形態】
【００１４】
＜第１の形態＞
この発明の一例に係るパターン形成方法は、(1)基材の表面を下に向けた状態のままでパターン形成用樹脂組成物をその基材の表面に塗工する工程、(2)パターン形成用樹脂組成物が塗工された基材の表面を下に向けた状態を維持する工程、及び(3)基材の下側の面に所定のパターンに形成されたパターン形成用樹脂組成物を硬化する工程を有する。
【００１５】
[第１の工程]
この第１の工程は、基材の表面に、その表面を下に向けた状態で、パターン形成用樹脂組成物を塗工する工程である。
【００１６】
この発明の方法により得られるパターン印刷物においては、基材の一方の表面に形成された画像を、基材の他方の表面に形成されたところの、パターン形成用樹脂組成物を硬化してなるレンズ状の硬化物を通して観察するのであるから、この発明の方法における基材は、透明又は半透明の部材により形成されるのが好ましい。後述のパターン及び基材の両方を通して画像を観察するときには、背景が透かされて見えることにより画像の視認の妨げにならないように、基材の反対側面、換言するとパターンが形成された面とは反対側の面に不透明層を設けても良い。この不透明層は、別に反射層とも称され、要するに、透かして見ることができないように透過性を低下ないし消失させる機能を有する層である。この反射層は、また、光を反射させることにより画像の視認性向上を図ることもできる。
【００１７】
この第１の工程では、図１に示されるように、基材１の一方の表面に画像２が形成され、画像２が形成された面とは反対側の基材１の表面に所定間隔を設けて形成されたパターン区画形成線５の間にレンズの形状をなすパターン３が形成される。この場合、透明な基材は、前記パターン３を保持するための支持体としての機能及びパターン３の形状であるレンズによる焦点が画像に位置するように焦点距離を調整する焦点調整機能を備えることもある。なお、画像２の表面に不透明層、換言すると反射層（図示せず。）が設けられていても良い。基材が透明であっても、用途に応じて、画像を形成した基材表面にパターンを形成しても良い。
【００１８】
基材の厚みは、パターン形成用樹脂組成物の硬化物であるレンズの焦点距離と実質的に同じ長さであることが望ましく、通常の場合、形成されるレンズの焦点距離に応じて０．０１〜０．８ｍｍである。
【００１９】
基材１の表面に形成される画像はパターンと干渉を起こして立体視又はモアレ効果による視覚効果等の特殊視覚効果が得られるものであればよく、図３〜１２に示される各種の画像であっても良い。図３に示される画像は、ハニカム形とハニカム形を形作っている各六角形中に形成された円とを組み合わせた図形であり、図４に示される画像は、ハニカム形とそのハニカム形を形作っている各六角形中に形成されたハート形とを組み合わせた図形であり、図５に示される画像は、ハニカム形とそのハニカム形を形作っている各六角形中に形成された星形とを組み合わせた図形であり、図６に示される画像は、図３〜図５に示されるのとは異なるハニカム形とそのハニカム形を形作っている各六角形中に形成された星形とを組み合わせた図形であり、図７に示される画像は渦巻き線であり、図８に示される画像は複数の同心円を組み合わせて成る図形であり、図９に示される画像は、一点から放射状に延在する多数の直線の組み合わせから成る図形であり、図１０に示される画像は、一点から放射状に延在する多数の直線と、それら直線間に配置される複数の半径方向の線分との組み合わせからなる図形であり、図１１に示される画像は、正六角形とその正六角形の各頂点と向かい側の頂点とを結んだ直線とで形成される六個の三角形と、各三角形の中に、隣接する三角形の中に形成された複数の平行な平行線とは方向が異なるように形成された複数の平行線とを組み合わせてなる図形であり、図１２に示される画像は、一点から半径方向に向かって延在する複数の曲線からなる図形である。基材の表面に形成される画像は前記図３〜１２に示される画像に限定されないことは、言うまでもない。
【００２０】
この発明においては、基材は単層であっても複数の層からなる積層体であっても良い。
【００２１】
基材が積層体である場合、積層体を形成する各層はそれぞれ透明であっても良い。いずれにしても複数の層を積層してなる積層体である基材は、パターンを保持する機能を有する。画像を形成した基材面とは反対側の面にレンズ状のパターンを形成してパターン側から基材を透かして画像を視認する場合には、当然のことながら、基材を構成する各層はそれぞれ透明であることを要する。
【００２２】
透明な二層以上を積層してなる基材の場合、それら透明な層の少なくとも一層はパターンを実現するための支持層としての機能を有し、他の層は支持層である透明層と協同して更に支持力を高める補助支持層としての機能を有し、また、場合によっては、レンズ状をなすパターンによる焦点が画像面に結像するように焦点距離を調整する焦点距離調整層としての機能を有する。
【００２３】
したがって、基材の片面に画像を形成し、基材の他方の面から前記画像を視認するときには、基材が単層であれ、あるいは積層体であれ、自己支持性を考慮し、またパターンがレンズ状を成すときにはその焦点距離等を考慮して基材の材質、厚みなどが決定される。
【００２４】
基材の材質としては、上記機能を達成し、また画像を形成することができる限り特に制限がない。透明な単層の基材の材質としては、例えば、合成樹脂、ガラス又は透明な塗装膜などを挙げることができる。
【００２５】
なお、ここで「透明」とは画像を視認することができる程度の透明性があることを意味し、無色透明、半透明、有色透明、有色半透明の状態を含む概念である。
【００２６】
基材の形状としても、平面形状、曲面形状、任意の凹凸形状のいずれであっても良い。
【００２７】
この発明の方法の一例においては、図１に示されるように、基材１の、画像の形成された表面とは反対側の表面にパターン形成区画線を、塗工により形成する。
【００２８】
この基材１におけるパターン形成区画線の形成される表面は、できるだけ平滑であることが好ましい。
【００２９】
基材１の、パターン形成区画線が形成される表面の好ましい平滑度は、ＪＩＳ  Ｂ  ０６０１により規定された算術平均粗さ値（Ｒａ値）及び最大高さ値（Ｒｙ値）により規定することができる。
【００３０】
基材１の、パターン形成区画線が形成される表面の好ましいＲａ値は、０．００１〜５であり、特に好ましくは０．００２〜０．６であり、好ましいＲｙ値は、０．００１〜２８であり、特に好ましくは０．００２〜３である。なお、場合によっては、前記０．００１〜０．６及び０．００２〜５をＲａ値の好ましい範囲とすることもできるし、０．００２〜２８及び０．００１〜３をＲｙ値の好ましい範囲にすることもできる。
【００３１】
基材１の、パターン形成区画線が形成される表面の平滑度が前記範囲内にあると、印刷手法によるパターン形成区画線の形成及びパターンの形成を効果的に行うことができる。前記平面の平滑度が悪いと、最終的に形成されるパターン自体の機能が損なわれることがある。
【００３２】
基材１の表面の平滑度がパターン形成面として十分でないときには、下塗り層を基材１の表面に形成して、パターン形成面に必要な平滑度を得ても良い。
【００３３】
このような下塗り層４は、ディッピング、刷毛塗り、スプレー、ロールコータによる塗工、印刷及びその他の方法により、形成することができる。
【００３４】
なお、図１においては、水平に配置された基材１の下側の面にパターン区画形成線５が形成されているように描かれているが、パターン区画形成線５は、水平に配置された基材１の上面となる面に塗工により形成されていても良い。つまり、パターン区画形成線５を形成するために、基材を水平にしたときの下面にパターン区画形成線５を形成しなければ成らないことは、ない。
【００３５】
パターン形成区画線は、基材の下面に塗工されたパターン形成用樹脂組成物をはじいてパターン形成区画線により囲繞された領域あるいはパターン形成区画線により挟まれた部位で、パターン形成用樹脂組成物を凸状に懸垂させる機能を有する。
【００３６】
パターン形成区画線を形成するための素材は、基材１の表面であってパターンが形成される面、すなわちパターン形成面に十分に微細な線を、密着性良く形成することができ、しかも後述するパターン形成用樹脂組成物に対する相溶性がなくてこのパターン形成用樹脂組成物をはじくことができる限り種々の材料を採用することができる。好適なパターン形成区画線の主たる材質としては、例えばロジン変性フェノール樹脂、尿素樹脂、メラミン樹脂、ケトン樹脂、ポリ塩化ビニル樹脂（ＰＶＣ）、塩化ビニル・酢酸ビニル共重合樹脂、ポリビニルブチラール樹脂（ブチラール樹脂）、スチレン・マレイン酸樹脂、塩素化ポリプロピレン、アクリル樹脂、クマロン・インデン樹脂、石油樹脂、ポリエステル樹脂、アルキッド樹脂、ポリアミド樹脂、エポキシ樹脂、ポリウレタン、ニトロセルロース（硝化綿）、エチルセルロース、エチルヒドロキシエチルセルロース（ＥＨＥＣ）、環化ゴム、塩化ゴム等を挙げることができる。
【００３７】
このパターン形成区画線の形状は繰り返し図形である。この繰り返し図形がどのようであるかは、パターンにより相違する。
【００３８】
たとえば、レンチキュラーレンズの機能及び形状を有するパターンを形成するのであれば、このパターン形成区画線は所定のピッチ間隔をもって互いに平行に形成された線にするのが良い。この平行な線であるパターン形成区画線は、直線であっても良いし、湾曲した弓状の曲線あるいはジグザグの線であっても良い。通常のレンチキュラーレンズを製造する場合、このパターン形成区画線は、所定のピッチ間隔をもって互いに平行に形成された直線である。
【００３９】
フライアイレンズを製造するのであれば、このパターン形成区画線は円又は多角形の繰り返し図形である。多角形の繰り返し図形の好適例としてハニカム図形を挙げることができる。前記多角形の繰り返し図形としては、六角形、五角形、四角形、三角形を基本単位とし、この基本単位の図形が繰り返されてなる図形がある。その他に、パターン形成区画線を螺旋状に形成することもでき、この螺旋状のパターン形成区画線は一定の法則に従った繰り返し図形である。
【００４０】
フレネルレンズを製造するのであれば、このパターン形成区画線は、複数の同心円である。この複数の同心円は、中心を共通にする円の繰り返し図形である。
【００４１】
パターン形成区画線の線幅を０．２〜２５０μｍにするのが良い。パターン形成区画線の線幅が余り大きいと、相対的にパターンの面積が減少することになってパターンが有するレンズ機能が低下することがある。パターン形成区画線の線幅が過小であると、パターン形成区画線間に塗工されたパターン形成用樹脂組成物が隣接するパターン形成区画線間に跨がり、パターン形成区画線間毎にレンズ部を形成するのに困難を来すことがある。パターン形成区画線の線幅が前記範囲内にあることにより、パターン形成区画線間毎にレンズ部を独立して容易に形成することができる。
【００４２】
パターン形成区画線と隣接するパターン形成区画線との間隔すなわちピッチ幅を０．２〜３０μｍにすると、パターンの表面を指触してもパターンの凹凸を感じさせない程の細かなパターンを製造することができる。
【００４３】
パターン形成区画線の形成方法は、特に制限されるものではないが、エッチング法、印刷手法等を採用するのが好ましい。好ましいのは印刷手法である。印刷手法として、たとえば、平版印刷、凸版印刷、凹版印刷、グラビヤ印刷、スクリーン印刷、孔版印刷等を挙げることができる。上記したような細かなピッチ幅あるいは線幅を有するパターン形成区画線を形成するのであれば、パターン形成区画線の形成を平版印刷もしくはグラビヤ印刷によるのが好ましい。
【００４４】
パターン形成区画線が形成された後に、パターン形成用樹脂組成物を、パターン形成区画線を有するパターン形成面に塗工する。
【００４５】
ここで重要なことは、前記パターン形成用樹脂組成物は、パターン形成区画線を形成する樹脂に対して相溶性の小さな、又は実質的に相溶性がないことである。パターン形成用樹脂組成物がパターン形成区画線を形成する樹脂に対して相溶性が小さいか、又は実質的に相溶性がない場合には、塗工されたパターン形成用樹脂組成物がパターン形成区画線にはじかれて、図１に示されるように、互いに隣接するパターン形成区画線５の間にパターン形成用樹脂組成物６が懸垂される。
【００４６】
このようなパターン形成用樹脂組成物としては、パターン形成区画線を形成する素材に対して小さくとも１５度の接触角を有することが好ましく、そのような接触角を有する限り、例えば重合性物質を含有して形成されることができる。
【００４７】
重合性物質としては、熱重合、又は紫外線重合等の放射線重合の可能な物質であれば良く、通常の場合、重合性二重結合含有基を有する。
【００４８】
この重合性二重結合含有基として、紫外線、可視光線、電子線、Ｘ線等の活性放射線の照射あるいは加熱等により反応して硬化する反応性二重結合を有する基を挙げることができる。
【００４９】
この重合性二重結合含有基である反応性二重結合を有する基として、たとえばアクリロイル基、メタクリロイル基、ビニル基あるいはアリル基を含む官能基等が挙げられる。好ましい重合性二重結合含有基としては、アクリロイル基及びメタクリロイル基を挙げることができる。
【００５０】
このパターン形成用樹脂組成物は、更に、屈折率が１．３５〜１．７５であるのが好ましい。このような範囲の屈折率を有するパターン形成用樹脂組成物であると、パターンとして形成されるレンズがそのレンズ機能を十分に発揮することができる。
【００５１】
この発明におけるパターン形成用樹脂組成物はその硬化時における収縮を防止するために収縮防止剤を含有することが好ましい。この収縮防止剤としては、この発明におけるパターン形成用樹脂組成物を硬化させるときの収縮を抑制する機能及びパターン形成用樹脂組成物を硬化して得られるパターンの透明性を疎外しない機能を有する物質が使用される。
【００５２】
このような機能を有する物質として、たとえば、硫酸バリウム、シリカ、アルミナホワイト、炭酸カルシウム等を挙げることができる。
【００５３】
この発明における収縮防止剤として透明性充填剤を使用することもできる。
【００５４】
いずれにしても収縮防止剤あるいは透明性充填剤として、硫酸バリウム、シリカなどが好ましい。
【００５５】
この発明におけるパターン形成用樹脂組成物は、流動性を調整するために溶剤を含んでいても良い。この発明に好適に使用することのできる溶剤としては、トルエン、キシレンなどの芳香族系溶剤、ミネラルスピリッツなどの鉱油、ジメチルケトン、メチルエチルケトン、メチルプロピルケトン、メチルイソブチルケトンなどのアルキルケトン等を挙げることができる。
【００５６】
この発明における好適なパターン形成用樹脂組成物の一例をあげると、重合性物質５０〜９５重量％、好ましくは６０〜９５重量％であり、収縮防止剤が０〜５重量％、好ましくは０．１〜１重量％、重合開始剤が１〜１５重量％、好ましくは３〜１２重量％である。上記各成分が前記配合量範囲内にあると、このパターン形成用樹脂組成物が塗工性の良好な粘度に調整され、パターン形成面に塗工されたときの表面張力も適正になってたとえばレンズ状をなすパターンを良好に形成することができ、しかもパターン形成用樹脂組成物が硬化する際の収縮も低く抑制されるので、より高品位な光学性能を有するパターンを製造することができるようになる。
【００５７】
この発明の方法において重要なことは、基材の下面側を下側に向けた状態、換言するとパターン形成面を下側に向けた状態、また換言するとパターン形成区画線を形成する面を下側に向けた状態のままで、パターン形成用樹脂組成物を塗工することである。
【００５８】
基材におけるパターン形成面を下側に向けた状態で、パターン形成面にパターン形成用樹脂組成物を塗工すると、図１３に示されるように、塗工されたパターン形成用樹脂組成物は、パターン形成用樹脂組成物６の表面張力により半球を形成しようとする作用及び重力によりカテナリー曲線を形成しようとする作用との合成作用による曲面を有する、下方に向かって凸状のパターン７を形成する。
【００５９】
従来においては、基材におけるパターン形成面を上側にして、そのパターン形成面上にパターン形成用樹脂組成物を塗工すると、図１４に示されるように、パターン形成用樹脂組成物の表面張力により球面が形成されようとするところ、重力の作用により頂上部がやや扁平な、上に凸となったパターン８が形成されるが、この発明においては、上述したように下方に向かって凸状の、しかも扁平ではない曲面パターン７が形成される。
【００６０】
[第２の工程]
この第２の工程は、パターン形成用樹脂組成物が塗工された基材の下側の面を下側に向けられることによって塗工されたパターン形成用樹脂組成物が懸垂された状態を維持する工程である。要するに、この第２の工程は、懸垂されたパターン形成用樹脂組成物を所定の時間懸垂状態に維持する工程である。この工程では、下側に向けられたパターン形成面に塗工されたパターン形成用樹脂組成物がパターン形成区画線によりはじかれて、塗工されたパターン形成用樹脂組成物が重力の作用によりカテナリー又はカテナリー用の曲面を形成するに必要な時間をかけてパターン形成用樹脂組成物が懸垂状態に維持される。塗工されたパターン形成用樹脂組成物を懸垂状態に維持し続ける時間としては、通常０．１秒〜６秒くらいである。もっとも、前記時間は６秒を上回る時間であってもよいのであるが、長くするほどの利点は特にない。
【００６１】
[第３の工程]
この第３の工程では、基材の下側の面に所定のパターン、たとえばレンチキュラーレンズ状に形成されたパターン形成用樹脂組成物を硬化する。
【００６２】
パターン形成用樹脂組成物で形成されたパターンの硬化は、熱硬化、放射線硬化のいずれであっても良いのであるが、放射線硬化が好適に採用される。この放射線としては紫外線、電子線等が採用される。この放射線硬化条件等はパターン形成用樹脂組成物に応じて適宜に決定される。
【００６３】
[パターン形成装置]
この発明の方法を実施する一例としてのパターン形成装置における主要部を、模式的に図１５に示す。図１５に示されるように、パターン形成装置９は、基材の下側の面を下に向けた状態で、前記基材の下側の面にパターン形成用樹脂を塗工するパターン形成用樹脂塗工部１０と、パターン形成用樹脂が塗工された基材を、塗工面を下側に向けた状態で移動させる基材移送部１１と、基材の下側の面に塗工されたパターン形成用樹脂を硬化させることによりパターンを形成する硬化部１２とを備える。また、前記パターン形成用樹脂塗工部１０には、パターン形成区画線塗工部２０が前置される。
【００６４】
このパターン形成区画線塗工部２０は、収容されている枚葉紙を給紙する給紙部から送られてきた枚葉紙１６をローラ２１に巻回してこれを移送しつつ区画線転写ローラ２２により枚葉紙１６の下面に所定間隔の多数のパターン形成用区画線を形成し、下面にパターン形成用区画線を形成した枚様紙１６Ａを送り第１ローラ２３により送り出すように、形成される。なお、ローラ２１に送り込まれる枚様紙１６は、パターン形成用区画線が形成される面とは反対側の面に、画像が塗工形成されていてもよい。また、ローラ２１に送り込まれる枚用紙１６が、パターン形成用区画線が形成される面とは反対側の面に画像が塗工形成されていない場合には、このパターン形成装置によりパターン形成されたパターン印刷物が、パターン印刷面とは反対側の面に画像を印刷する印刷機に送り込まれることにより、一方の面に画像を、また他方の面にパターンを形成してなる視覚効果印刷物が製造される。
【００６５】
パターン形成用樹脂塗工部１０は、図１５に示されるように、圧胴１３、この圧胴１３の下部に配置され、圧胴１３によって搬送される基材１のパターン形成面にパターン形成樹脂組成物を塗工するブランケット胴１４、このブランケット胴１４に接し、パターン形成樹脂組成物をブランケット胴１４に供給するローラ１５とを備える。
【００６６】
このパターン形成用樹脂塗工部１０に送り込まれてくる枚用紙は、図１に示されるように、基板１と、その一方の面に形成された画像２と、その画像２が形成された面とは反対側の面に形成された複数のパターン形成区画線５とを有してなる、半印刷の枚葉紙１６Ａであっても良い。以下の説明においては、この半印刷の枚用紙１６Ａを例にする。
【００６７】
この枚葉紙１６Ａは、パターン形成区画線５が形成されている面を下側に向けて、圧胴１３に搬送される。圧胴１３は、そのドラム面に枚葉紙１６Ａを装着しつつこの枚葉紙１６Ａを圧胴１３の回転とともに搬送し、ブランケット胴１４でパターン形成用樹脂組成物を枚葉物１６Ａのパターン形成面に塗工する。
【００６８】
基材搬送部１１は、圧胴１３により搬送されつつパターン形成面にパターン樹脂組成物が塗工された枚葉物１６Ａを、そのパターン形成面を下方に向けつつ搬送するように形成される。
【００６９】
基材搬送部１１は、下側に向けられたパターン形成面に未硬化のパターン形成用樹脂組成物を塗工してなる印刷後枚用紙１６Ｂを、パターン形成用樹脂組成物を塗工した面を下側に向けた状態で、つまりパターン形成用樹脂組成物を懸垂した状態で、次の硬化部１２に、搬送することができるように形成されていればどのような構造であってもよい。
【００７０】
この基材搬送部１１においては、この印刷後枚葉紙１６Ｂがこの搬送胴１７により搬送されている期間中、パターン形成用樹脂組成物が塗工されている面が下方に向けられ、しかも搬送胴１７の周面と塗工されたパターン形成用樹脂組成物とが直接に接触しないようにされているので、図１３に示されるように、パターン形成区画線５にはじかれたパターン形成用樹脂組成物が、隣接するパターン形成区画線５の間で、重力とその表面張力とによって、下向きに凸状となったカテナリー又はカテナリー用の断面輪郭を形成するように、基材１の下面に保持される。
【００７１】
硬化部１２は、印刷後枚葉紙１６Ｂの下面を下に向けた状態、つまり基材１の表面に形成された第１下塗り層２を下に向けた状態で搬送されてくる印刷後枚葉紙１６Ｂを搬送する搬送第２胴２０と、この搬送第２胴２０の周面に保持されている印刷後枚葉紙１６Ｂにおける凸状のパターン７を形成するパターン形成用樹脂組成物を硬化させるたとえば光照射手段たとえば水銀ランプ２１とを、備える。
【００７２】
この硬化部１２における搬送第２胴２０により印刷後枚葉紙１６Ｂが搬送されつつ前記水銀ランプ２１による光照射によって、未硬化のパターン形成用樹脂組成物自体の表面張力とその重力との両作用の合成により形成される曲面を有しているパターン形成用樹脂組成物が硬化し、固化したパターン７が形成される。
【００７３】
一方の面に画像を有し、他方の面に固化したパターン７を有する印刷物は、画像を有する面に更に印刷加工をすることなく、このパターン形成装置９から排出される。このパターン形成装置９に供給される枚葉紙が、その一面に既に画像が形成されている場合には、このパターン形成装置９から排出された印刷物は、基材の片面に形成された画像をパターンを通して観察するとモアレ模様、立体視画像、見る角度により異なる画像の視認等の特殊視覚効果を有する視覚効果印刷物である。
【００７４】
この特殊視覚効果は、例えばパターン形成区画線の線幅を０．２〜２５０μｍにし、ピッチ幅を０．２〜３０μｍにし、基材の厚みを０．０１〜０．８ｍｍにした場合に、好適に発現される。このような特殊視覚効果は、基材のパターン形成面を下に向けた状態で、前記パターン形成面にパターン形成用樹脂組成物を塗工することにより、パターン形成用樹脂組成物の表面張力及び重力の両作用により形成された曲面を有するパターンを硬化してなることにより得られるのであって、基材のパターン形成面を上に向けた状態でパターン形成用樹脂組成物を塗工したのでは決して得ることができない。
＜第２の形態＞
この第２の形態であるパターン形成方法が前記第１の形態であるパターン形成方法と相違するところは、前記第１の形態における「基材の表面に形成されたパターン形成用区画線間に、このパターン形成用区画線を形成する樹脂に対して相溶性の小さな、または実質的に相溶性のないパターン形成用樹脂組成物を、前記パターン形成用区画線が形成された基材の表面を下に向けた状態で塗工する」第１の工程の代わりに、(1)基材の表面に第１下塗り層を形成する第１の工程、(2)前記第１下塗り層の表面に所定間隔を設けて第２下塗り層を形成する第２の工程、及び(3)前記第１下塗り層および第２下塗り層を有する基材の表面を下に向けた状態で、前記第１下塗り層には相溶性がなく、第２下塗り層には相溶性のあるパターン形成用樹脂組成物を塗工する第３の工程を有することである。この第２の形態であるパターン形成方法における(3)パターン形成用樹脂組成物が塗工された基材の表面を下に向けた状態を維持する工程、及び(4)基材の下側の面に所定のパターンに形成されたパターン形成用樹脂組成物を硬化する工程は、前記第１の形態であるパターン形成方法における(2)パターン形成用樹脂組成物が塗工された基材の表面を下に向けた状態を維持する工程、及び(3)基材の下側の面に所定のパターンに形成されたパターン形成用樹脂組成物を硬化する工程と同様である。
【００７５】
すなわち、この第２の形態における第１の工程においては、図２に示されるように、基材１の一方の表面に形成された画像２とは反対側の表面に第１下塗り層４を形成する。第１下塗り層４は、図２の表示とは異なって、画像２が形成された面を下側にした基材１の上側の表面に、塗工しても良い。塗工方法は、ロールコータ法等の公知の塗工方法を採用することができる。
【００７６】
この第２の形態における第２の工程においては、図２に示されるように、前記第１下塗り層４の表面に所定間隔を設けて第２下塗り層５ｂを形成する。
【００７７】
この第２の形態における第３の工程においては、図２に示されるように、前記第１下塗り層４および第２下塗り層５ｂを有する基材１の表面を下に向けた状態で、パターン形成用樹脂組成物６を塗工する。
【００７８】
この第２の形態においては、第１下塗り層を形成する第１下塗り層用樹脂組成物は基材に対して接着性を有する材料を選定し、第２下塗り層を形成する第２下塗り層用樹脂組成物は第１下塗り層用樹脂組成物に接着性を有する材料を選定し、パターン形成用樹脂組成物は前記第１下塗り層に対して相溶性が小さいか実質的に相溶性がなく、第２下塗り層に対して相溶性の良好な材料を選定することが好ましい。
【００７９】
もっとも第１下塗り層用樹脂組成物、第２下塗り層用樹脂組成物及びパターン形成用樹脂組成物をどのような組成物にするかは、基材の種類、パターン形成用樹脂組成物中の樹脂の種類、パターン形成用樹脂組成物の粘度、硬化速度等に応じて適宜に決定される。
【００８０】
この第３の工程で、前記第１下塗り層４および第２下塗り層５ｂを有する基材１の表面を下に向けた状態で、パターン形成用樹脂組成物６を塗工すると、図２に示されるように、パターン形成用樹脂組成物は第１下塗り層に対して相溶性が小さいか、実質的相溶性がないのでパターン形成用樹脂組成物ははじかれて第１下塗り層の表面にパターン形成用樹脂が懸垂されず、一方、パターン形成用樹脂組成物は第２下塗り層に対して相溶性が良好であるので、所定間隔を設けて形成された第２下塗り層の下側の表面にパターン形成用樹脂組成物が、その表面張力及び重力の両作用により形成された曲面を有する状態で懸垂され、パターン３を形成する。
【００８１】
パターン形成用樹脂組成物のパターン３が第２下塗り層５ｂに懸垂された状態を維持しつつこのパターン形成用樹脂組成物を硬化する。
【００８２】
硬化については第１の形態におけるのと、同様である。
【００８３】
この第２下塗り層５ｂを下向けにした状態でパターン形成用樹脂組成物を塗工するには、図１６に示されるような、パターン形成装置９Ａを使用するのが、好適である。
【００８４】
パターン形成装置９Ａは、第１下塗り層形成部２４と、第２下塗り層形成部２５と、パターン形成用樹脂塗工部１０と、基材移送部１１と、硬化部１２とを備える。前記パターン形成用樹脂塗工部１０と、基材移送部１１と、硬化部１２とは、前記第１の形態におけるパターン形成装置９と同様の構成を有する。
【００８５】
前記第１下塗り層形成部２４は、収容されている枚葉紙を給紙する給紙部から送られてきた枚葉紙１６をローラ２６に巻回してこれを移送しつつ、枚葉紙１６の下側の表面に第１下塗り層用樹脂組成物を塗工し、第２下塗り層形成部２５は、下側の面に第１下塗り層を塗工した枚葉紙１６をローラ２７に巻回してこれを移送しつつ、第１下塗り層の表面に所定間隔を設けて第２下塗り層用樹脂組成物を塗工し、第２下塗り層を塗工した枚葉物をパターン形成用樹脂塗工部１０に送り込むように、形成される。なお、図１８において２７及び２８は送りローラを示す。
【００８６】
このパターン形成装置９Ａは、前記パターン形成装置９と同様に、硬化部１２を経由した枚葉紙は、その表側に印刷されることなくパターン印刷物として排出される。
【００８７】
この第２の形態に係るパターン形成方法によっても前記第１の形態にかかるパターン形成方法と同様に、未硬化のパターン形成用樹脂組成物自体の表面張力とその重力との両作用の合成により形成される曲面を有しているパターン形成用樹脂組成物が硬化し、固化したパターン７が形成されてなるパターン印刷物を得ることができる。
【００８８】
以上、この発明について第１の形態及び第２の形態を開示しつつこの発明について詳述したが、この発明は前記第１の形態及び第２形態に限定されない。上記パターン形成装置でパターン形成される対象物は枚葉紙であったが、長尺のロール紙であっても良い。
【図面の簡単な説明】
【００８９】
【図１】図１は、この発明の一例であるパターン形成方法の手順を示す説明図である。
【図２】図２は、この発明の他の例であるパターン形成方法の手順を示す説明図である。
【図３】図３は、この発明の方法において採用されることのできる、基材表面に形成される画像を示す例である。
【図４】図４は、この発明の方法において採用されることのできる、基材表面に形成される画像を示す例である。
【図５】図５は、この発明の方法において採用されることのできる、基材表面に形成される画像を示す例である。
【図６】図６は、この発明の方法において採用されることのできる、基材表面に形成される画像を示す例である。
【図７】図７は、この発明の方法において採用されることのできる、基材表面に形成される画像を示す例である。
【図８】図８は、この発明の方法において採用されることのできる、基材表面に形成される画像を示す例である。
【図９】図９は、この発明の方法において採用されることのできる、基材表面に形成される画像を示す例である。
【図１０】図１０は、この発明の方法において採用されることのできる、基材表面に形成される画像を示す例である。
【図１１】図１１は、この発明の方法において採用されることのできる、基材表面に形成される画像を示す例である。
【図１２】図１２は、この発明の方法において採用されることのできる、基材表面に形成される画像を示す例である。
【図１３】図１３は、この発明の方法により、パターン形成用樹脂組成物が形作る縦断面形状を示す断面図である。
【図１４】図１４は、従来の方法により、パターン形成用樹脂組成物が形作る縦断面形状を示す断面図である。
【図１５】図１５は、この発明の一例であるパターン形成装置を示す概略説明図である。の例を示す概略説明図である。
【図１６】図１６は、この発明の他の例であるパターン形成装置を示す説明図である。
【符号の説明】
【００９０】
１        基材
２        立体視画像
３        パターン
４        第１下塗り層
４Ａ      第１下塗り層
５        パターン形成区画線
６        パターン形成用樹脂組成物
７        パターン
８        パターン
９        パターン形成装置
９Ａ      パターン形成装置
１０      パターン形成用樹脂塗工部
１１      基材移送部
１２      硬化部
１３      圧胴
１４      ブランケット胴
１５      ローラ
１６      枚葉紙
１６Ａ    枚葉紙
１７      搬送胴
２０      パターン形成区画線塗工部
２１      ローラ
２２      区画線転写ローラ
２３      送り第１ローラ
２４      第１下塗り層形成部
２５      第２下塗り層形成部２
２６      ローラ
２７      ローラ
２８      送りローラ
２９      送りローラ
【図１】
2006181554.tif 000003
【図２】
2006181554.tif 000004
【図３】
2006181554.tif 000005
【図４】
2006181554.tif 000006
【図５】
2006181554.tif 000007
【図６】
2006181554.tif 000008
【図７】
2006181554.tif 000009
【図８】
2006181554.tif 000010
【図９】
2006181554.tif 000011
【図１０】
2006181554.tif 000012
【図１１】
2006181554.tif 000013
【図１２】
2006181554.tif 000014
【図１３】
2006181554.tif 000015
【図１４】
2006181554.tif 000016
【図１５】
2006181554.tif 000017
【図１６】
2006181554.tif 000018